【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
オプティカルカプラであって、
第１の光学ポートと、
第２の光学ポートと、
第３の光学ポートと、
第４の光学ポートと、
フォトニックバンドギャップファイバとを含み、フォトニックバンドギャップファイバは、
クラッド内に第１の屈折率を備えた材料および領域を含むクラッドを含み、領域は第１の屈折率より小さい第２の屈折率を有し、
実質的にクラッドに囲まれた第１のコアを含み、第１のコアは第１の光学ポートおよび第２の光学ポートに光学的に結合され、
実質的にクラッドに囲まれた第２のコアを含み、第２のコアは第３の光学ポートおよび第４の光学ポートに光学的に結合され、第１のコアの少なくとも一部は、第１のコアが第２のコアに光学的に結合されるように、第２のコアの少なくとも一部にほぼ平行であってそこから間隔を置かれ、第１のコア、第２のコア、または第１のコアおよび第２のコアのいずれもが中空であり、
実質的にクラッドに囲まれた欠陥を含み、欠陥は第１のコアと第２のコアとの間の結合係数を増加させる、オプティカルカプラ。
【請求項２】
領域は中空である、請求項１に記載のオプティカルカプラ。
【請求項３】
領域は各々それぞれの中心を有し、隣接領域は空間周期を有する周期的なパターンで間隔を置かれる、請求項１に記載のオプティカルカプラ。
【請求項４】
第１のコアおよび第２のコアは空間周期の倍数に実質的に等しい中心間距離を有する、請求項３に記載のオプティカルカプラ。
【請求項５】
倍数は偶数の整数である、請求項４に記載のオプティカルカプラ。
【請求項６】
倍数は奇数の整数である、請求項４に記載のオプティカルカプラ。
【請求項７】
第１のコアは表面モードをサポートせず、第２のコアは表面モードをサポートしない、請求項１に記載のオプティカルカプラ。
【請求項８】
第１のコアと第２のコアとの間の光学的結合は偏光依存する、請求項１に記載のオプティカルカプラ。
【請求項９】
第１のコアおよび第２のコアのフォトニックバンドギャップファイバは、約１ミリメートルから約１．９センチメートルの範囲の結合長を有する、請求項１に記載のオプティカルカプラ。
【請求項１０】
第１のコアおよび第２のコアのうち１つはコアリングを含む、請求項１に記載のオプティカルカプラ。
【請求項１１】
第１のコアおよび第２のコアの各々がコアリングを含む、請求項１０に記載のオプティカルカプラ。
【請求項１２】
欠陥は第１のコアと第２のコアとの間にある、請求項１に記載のオプティカルカプラ。
【請求項１３】
欠陥はクラッドの中心の穴に点欠陥を含む、請求項１に記載のオプティカルカプラ。
【請求項１４】
欠陥は線形欠陥を含む、請求項１に記載のオプティカルカプラ。
【請求項１５】
フォトニックバンドギャップファイバを用いる方法であって、
フォトニックバンドギャップファイバを与えるステップを含み、フォトニックバンドギャップファイバは、
クラッド内の第１の屈折率を備えた材料および領域を含むクラッドを含み、領域は第１の屈折率よりも小さい第２の屈折率を有し、フォトニックバンドギャップファイバはさらに、
実質的にクラッドに囲まれた第１のコアと、
実質的にクラッドに囲まれた第２のコアとを含み、第１のコアは、第１のコアが第２のコアに光学的に結合されるように第２のコアから間隔を置かれ、第１のコア、第２のコア、または第１のコアおよび第２のコアのいずれもが中空であり、フォトニックバンドギャップファイバはさらに
実質的にクラッドに囲まれた欠陥を含み、欠陥は第１のコアと第２のコアとの間の結合係数を増大させ、前記方法はさらに
第１のコアと第２のコアとの間で光を結合するステップを含む、方法。
【請求項１６】
フォトニックバンドギャップファイバを偏光依存したオプティカルカプラとして用いるステップをさらに含む、請求項１５に記載の方法。
【請求項１７】
フォトニックバンドギャップファイバを偏光独立したオプティカルカプラとして用いるステップをさらに含む、請求項１５に記載の方法。
【請求項１８】
フォトニックバンドギャップファイバを波長分割マルチプレクサとして用いるステップをさらに含む、請求項１５に記載の方法。
【請求項１９】
フォトニックバンドギャップファイバをファイバ偏光子として用いるステップをさらに含む、請求項１５に記載の方法。
【請求項２０】
フォトニックバンドギャップファイバを偏光スプリッタとして用いるステップをさらに含む、請求項１５に記載の方法。
【請求項２１】
光ファイバであって、
クラッドと、
第１のコアと、
第２のコアとを含み、第１のコアの少なくとも一部は、第１のコアが第２のコアに光学的に結合されるように、第２のコアの少なくとも一部にほぼ平行であってそこから間隔を置かれ、第１のコアおよび第２のコアのうち少なくとも１つが中空で実質的にクラッドに囲まれており、
実質的にクラッドに囲まれた欠陥を含み、欠陥は第１のコアと第２のコアとの間の結合係数を増加させる、光ファイバ。
【請求項２２】
クラッドはクラッド内に第１の屈折率を備えた材料および領域を含み、領域は第１の屈折率より小さい第２の屈折率を有する、請求項２１に記載の光ファイバ。
【請求項２３】
領域は中空である、請求項２２に記載の光ファイバ。
【請求項２４】
領域は各々それぞれの中心を有し、隣接領域は空間周期を有する周期的なパターンで間隔を置かれる、請求項２２に記載の光ファイバ。
【請求項２５】
第１のコアおよび第２のコアは空間周期の整数の倍数に実質的に等しい中心間距離を有する、請求項２４に記載の光ファイバ。
【請求項２６】
第１のコアは表面モードをサポートせず、第２のコアは表面モードをサポートしない、請求項２１に記載の光ファイバ。
【請求項２７】
第１のコアと第２のコアとの間の光学的結合は偏光依存する、請求項２１に記載の光ファイバ。
【請求項２８】
第１のコアおよび第２のコアは、約１ミリメートルから約１．９センチメートルの範囲の結合長を有する、請求項２１に記載の光ファイバ。
【請求項２９】
第１のコアおよび第２のコアのうち少なくとも１つはコアリングを含む、請求項２１に記載の光ファイバ。
【請求項３０】
欠陥はクラッドの中心の穴に点欠陥を含む、請求項２１に記載の光ファイバ。
【請求項３１】
欠陥は線形欠陥を含む、請求項２１に記載の光ファイバ。
【請求項３２】
光ファイバを用いる方法であって、
光ファイバを与えるステップを含み、光ファイバは、
第１のコアと、
第１のコアから間隔を置かれ、第１のコアに光学的に結合された第２のコアと、
第１のコアと第２のコアとの間の結合係数を増大させるように構成された欠陥と、
実質的に欠陥と第１のコアおよび第２のコアのうち少なくとも１つとを囲むクラッドとを含み、前記方法は
第１のコアと第２のコアとの間で光を結合するステップを含む、方法。
【請求項３３】
光ファイバを偏光依存したオプティカルカプラとして用いるステップをさらに含む、請求項３２に記載の方法。
【請求項３４】
光ファイバを偏光独立したオプティカルカプラとして用いるステップをさらに含む、請求項３２に記載の方法。
【請求項３５】
光ファイバを波長分割マルチプレクサとして用いるステップをさらに含む、請求項３２に記載の方法。
【請求項３６】
光ファイバをファイバ偏光子として用いるステップをさらに含む、請求項３２に記載の方法。
【請求項３７】
光ファイバを偏光スプリッタとして用いるステップをさらに含む、請求項３２に記載の方法。
【請求項３８】
第１のコアおよび第２のコアのうち少なくとも１つは中空である、請求項３２に記載の方法。
【請求項３９】
フォトニックバンドギャップファイバであって、
第１のコアと、
第１のコアに光学的に結合された第２のコアとを含み、第２のコアの少なくとも一部は第１のコアの少なくとも一部にほぼ平行であってそこから間隔を置かれ、第１のコアおよび第２のコアのうち少なくとも１つは中空であり、
第１のコアと第２のコアとの間の結合係数を増大させる欠陥と、
実質的に欠陥と第１のコアおよび第２のコアのうち少なくとも１つとを囲むクラッドとを含む、フォトニックバンドギャップファイバ。